(57)【特許請求の範囲】
【請求項１】
映像コンテンツデータのシーケンスから複数の代表画像を抽出すると共に、抽出された複数の代表画像それぞれが出現する時点を示すタイムスタンプ情報を出力する画像抽出手段と、
前記抽出された複数の代表画像を、前記映像コンテンツデータのシーケンスの開始位置から所定の表示抑制位置までの期間内に出現する第１の代表画像グループと、前記表示抑制位置以降に出現する第２の代表画像グループとに分け、前記第１の代表画像グループ内の代表画像の一覧を表示エリア上に表示すると共に、前記第２の代表画像グループ内の代表画像の一覧を、表示が抑制されるように各代表画像に加工処理が施された状態で、前記表示エリア上に表示する画像一覧表示処理手段と、
再生要求イベントの入力に応答して、前記表示エリア上に表示された代表画像の一覧の中からユーザによって選択された代表画像に対応する時点から、前記映像コンテンツデータの再生を開始する再生手段とを具備することを特徴とする電子機器。
【請求項２】
前記画像一覧表示処理手段は、前記映像コンテンツデータが再生されたことがある再生済みの映像コンテンツデータまたは一度も再生されていない未再生の映像コンテンツデータのいずれであるかを判別し、前記映像コンテンツデータが前記未再生の映像コンテンツデータである場合、前記第２の代表画像グループに属する代表画像の一覧を、表示が抑制されるように各代表画像に加工処理が施された状態で、前記表示エリア上に表示することを特徴とする請求項１記載の電子機器。
【請求項３】
前記映像コンテンツデータから複数のフレームを抽出すると共に、抽出されたフレームそれぞれが出現する時点を示すタイムスタンプ情報を出力する手段と、
前記抽出されたフレームそれぞれに対応するサムネイル画像の一覧をサムネイル表示エリア上に表示する手段と、
前記サムネイル表示エリア上のサムネイル画像の一覧から、前記表示抑制位置以降に出現するフレームに対応するサムネイル画像が選択された場合、前記表示抑制位置を前記選択されたサムネイル画像に対応する位置に変更する手段とをさらに具備することを特徴とする請求項１記載の電子機器。
【請求項４】
前記画像一覧表示処理手段は、前記表示抑制位置以降の期間内に出現する代表画像の内、所定の属性区間に属する各代表画像については、前記加工処理を施さずに前記表示エリア上に表示することを特徴とする請求項１記載の電子機器。
【請求項５】
前記表示エリアは、複数の行および複数の列を含むマトリクス状に配置された複数の画像表示エリアを含み、前記複数の列それぞれには、前記映像コンテンツデータの総時間長を構成する複数の時間帯がそれぞれ割り当てられており、
前記画像一覧表示手段は、前記映像コンテンツデータのシーケンスの開始位置から前記表示抑制位置までの期間内に属する時間帯が割り当てられた各列の画像表示エリア上に、当該各列に割り当てられた時間帯に属する代表画像それぞれを並べて表示する処理と、前記所定の表示抑制位置以降の時間帯が割り当てられた各列の画像表示エリア上に、当該各列に割り当てられた時間帯に属する代表画像それぞれを加工処理が施された状態で並べて表示する処理と、ユーザ操作に応じて、前記複数の列の中の所定の列を選択する処理と、前記表示抑制位置以降の期間内に属する時間帯が割り当てられている列が選択された場合、前記表示抑制位置を前記選択された列に割り当てられた時間帯の終端位置まで移動する処理とを実行することを特徴とする請求項１記載の電子機器。
【請求項６】
映像コンテンツデータのシーケンスから複数の顔画像を抽出すると共に、抽出された複数の顔画像それぞれが出現する時点を示すタイムスタンプ情報を出力する画像抽出手段と、
前記抽出された複数の顔画像を、前記映像コンテンツデータのシーケンスの開始位置から所定の表示抑制位置までの期間内に出現する第１の顔画像グループと、前記表示抑制位置以降に出現する第２の顔画像グループとに分け、前記第１の顔画像グループ内の顔画像の一覧を表示エリア上に表示すると共に、前記第２の顔画像グループ内の顔画像の一覧を、表示が抑制されるように各顔画像に加工処理が施された状態で、前記表示エリア上に表示する画像一覧表示処理手段と、
前記表示エリアに表示された顔画像の中の一つがユーザによって選択されている状態で前記映像コンテンツデータの再生を指示する再生要求イベントが入力された場合、前記選択されている顔画像に対応する時点から前記映像コンテンツデータの再生を開始する再生手段とを具備し、
前記表示エリアは、複数の行および複数の列を含むマトリクス状に配置された複数の画像表示エリアを含み、前記複数の列それぞれには、前記映像コンテンツデータの総時間長を構成する複数の時間帯がそれぞれ割り当てられており、前記画像一覧表示処理手段は、前記複数の顔画像それぞれに対応するタイムスタンプ情報に基づき、前記映像コンテンツデータのシーケンスの開始位置から所定の表示抑制位置までの期間内に属する時間帯が割り当てられた各列の画像表示エリア上に、当該各列に割り当てられた時間帯に属する顔画像それぞれを並べて表示する処理と、前記所定の表示抑制位置以降の時間帯が割り当てられた各列の画像表示エリア上に、当該各列に割り当てられた時間帯に属する顔画像それぞれを加工処理が施された状態で並べて表示する処理と、ユーザ操作に応じて、前記複数の列の中の所定の列を選択する処理と、前記表示抑制位置以降の期間内に属する時間帯が割り当てられている列が選択された場合、前記表示抑制位置を前記選択された列に割り当てられた時間帯の終端位置まで移動する処理とを実行するように構成されていることを特徴とする電子機器。
【請求項７】
映像コンテンツデータに出現する画像の一覧を表示する画像表示方法であって、
前記映像コンテンツデータのシーケンスから複数の代表画像を抽出すると共に、抽出された複数の代表画像それぞれが出現する時点を示すタイムスタンプ情報を出力する画像抽出ステップと、
前記抽出された複数の代表画像を、前記映像コンテンツデータのシーケンスの開始位置から所定の表示抑制位置までの期間内に出現する第１の代表画像グループと、前記表示抑制位置以降に出現する第２の代表画像グループとに分け、前記第１の代表画像グループ内の代表画像の一覧を表示エリア上に表示すると共に、前記第２の代表画像グループ内の代表画像の一覧を、表示が抑制されるように各代表画像に加工処理が施された状態で、前記表示エリア上に表示する画像一覧表示処理ステップと、
再生要求イベントの入力に応答して、前記表示エリア上に表示された代表画像の一覧の中からユーザによって選択された代表画像に対応する時点から、前記映像コンテンツデータの再生を開始する再生ステップとを具備することを特徴とする画像表示方法。
【請求項８】
前記画像一覧表示処理ステップは、前記映像コンテンツデータが再生されたことがある再生済みの映像コンテンツデータまたは一度も再生されていない未再生の映像コンテンツデータのいずれであるかを判別するステップと、前記映像コンテンツデータが前記未再生の映像コンテンツデータである場合、前記第２の代表画像グループに属する代表画像の一覧を、表示が抑制されるように各代表画像に加工処理が施された状態で、前記表示エリア上に表示するステップとを含むことを特徴とする請求項７記載の画像表示方法。
【請求項９】
前記映像コンテンツデータから複数のフレームを抽出すると共に、抽出されたフレームそれぞれが出現する時点を示すタイムスタンプ情報を出力するステップと、
前記抽出されたフレームそれぞれに対応するサムネイル画像の一覧をサムネイル表示エリア上に表示するステップと、
前記サムネイル表示エリア上のサムネイル画像の一覧から、前記表示抑制位置以降に出現するフレームに対応するサムネイル画像が選択された場合、前記表示抑制位置を前記選択されたサムネイル画像に対応する位置に変更するステップとをさらに具備することを特徴とする請求項７記載の画像表示方法。
【請求項１０】
前記表示エリアは、複数の行および複数の列を含むマトリクス状に配置された複数の画像表示エリアを含み、前記複数の列それぞれには、前記映像コンテンツデータの総時間長を構成する複数の時間帯がそれぞれ割り当てられており、
前記画像一覧表示処理ステップは、前記映像コンテンツデータのシーケンスの開始位置から前記表示抑制位置までの期間内に属する時間帯が割り当てられた各列の画像表示エリア上に、当該各列に割り当てられた時間帯に属する代表画像それぞれを並べて表示するステップと、前記所定の表示抑制位置以降の時間帯が割り当てられた各列の画像表示エリア上に、当該各列に割り当てられた時間帯に属する代表画像それぞれを加工処理が施された状態で並べて表示するステップと、ユーザ操作に応じて、前記複数の列の中の所定の列を選択するステップと、前記表示抑制位置以降の期間内に属する時間帯が割り当てられている列が選択された場合、前記表示抑制位置を前記選択された列に割り当てられた時間帯の終端位置まで移動するステップとを含むことを特徴とする請求項７記載の画像表示方法。
【発明の詳細な説明】
【技術分野】
【０００１】
本発明は映像コンテンツデータから抽出された画像の一覧を表示する電子機器および画像表示方法に関する。
【背景技術】
【０００２】
一般に、ビデオレコーダ、パーソナルコンピュータといった電子機器は、テレビジョン放送番組データのような各種映像コンテンツデータを記録および再生することが可能である。この場合、電子機器に格納された各映像コンテンツデータにはタイトル名が付加されるが、タイトル名だけでは、ユーザが、各映像コンテンツデータがどのような内容のものであるかを把握することは困難である。このため、映像コンテンツデータの内容を把握するためには、その映像コンテンツデータを再生することが必要となる。しかし、総時間長の長い映像コンテンツデータの再生には、たとえ早送り再生機能等を用いた場合であっても、多くの時間が要される。
【０００３】
特許文献１には、記録媒体に格納されたコンテンツに対応するサムネイル画像を表示する記録再生装置が開示されている。この記録再生装置は、パレンタル制御のために、人物を含むサムネイル画像それぞれを検出してこれら検出されたサムネイル画像の全てを非表示とする機能を有している。
【特許文献１】特開２００７−２８８５９４号公報
【発明の開示】
【発明が解決しようとする課題】
【０００４】
ところで、映像コンテンツデータのサムネイル画像の一覧を表示する画像一覧表示機能は、映像コンテンツデータの概要をユーザに提示できるという点で有用である反面、過度の情報提示により映像コンテンツデータの視聴価値を損ねる可能性がある。
【０００５】
例えば、映画、ドラマ、スポーツのような映像コンテンツデータについては、ストーリの展開または結末等をユーザに事前に提示しない方が良い場合もある。もしサムネイル画像の一覧を単純に表示したならば、ストーリの展開または結末等がユーザに事前に提示してしまう可能性がある。
【０００６】
よって、映像コンテンツデータの視聴価値を損ねることなく、映像コンテンツデータの概要をユーザに提示することができる新たな機能の実現が必要である。
【０００７】
本発明は上述の事情を考慮してなされたものであり、映像コンテンツデータの視聴価値を損ねることなく、映像コンテンツデータの概要をユーザに提示することができる電子機器および画像表示方法を提供することを目的とする。
【課題を解決するための手段】
【０００８】
本発明の一つの観点によれば、映像コンテンツデータのシーケンスから複数の代表画像を抽出すると共に、抽出された複数の代表画像それぞれが出現する時点を示すタイムスタンプ情報を出力する画像抽出手段と、前記抽出された複数の代表画像を、前記映像コンテンツデータのシーケンスの開始位置から所定の表示抑制位置までの期間内に出現する第１の代表画像グループと、前記表示抑制位置以降に出現する第２の代表画像グループとに分け、前記第１の代表画像グループ内の代表画像の一覧を表示エリア上に表示すると共に、前記第２の代表画像グループ内の代表画像の一覧を、表示が抑制されるように各代表画像に加工処理が施された状態で、前記表示エリア上に表示する画像一覧表示処理手段と、再生要求イベントの入力に応答して、前記表示エリア上に表示された代表画像の一覧の中からユーザによって選択された代表画像に対応する時点から、前記映像コンテンツデータの再生を開始する再生手段とを具備することを特徴とする電子機器が提供される。
【０００９】
また、本発明の別の観点によれば、映像コンテンツデータのシーケンスから複数の顔画像を抽出すると共に、抽出された複数の顔画像それぞれが出現する時点を示すタイムスタンプ情報を出力する画像抽出手段と、前記抽出された複数の顔画像を、前記映像コンテンツデータのシーケンスの開始位置から所定の表示抑制位置までの期間内に出現する第１の顔画像グループと、前記表示抑制位置以降に出現する第２の顔画像グループとに分け、前記第１の顔画像グループ内の顔画像の一覧を表示エリア上に表示すると共に、前記第２の顔画像グループ内の顔画像の一覧を、表示が抑制されるように各顔画像に加工処理が施された状態で、前記表示エリア上に表示する画像一覧表示処理手段と、前記表示エリアに表示された顔画像の中の一つがユーザによって選択されている状態で前記映像コンテンツデータの再生を指示する再生要求イベントが入力された場合、前記選択されている顔画像に対応する時点から前記映像コンテンツデータの再生を開始する再生手段とを具備し、前記表示エリアは、複数の行および複数の列を含むマトリクス状に配置された複数の画像表示エリアを含み、前記複数の列それぞれには、前記映像コンテンツデータの総時間長を構成する複数の時間帯がそれぞれ割り当てられており、前記画像一覧表示処理手段は、前記複数の顔画像それぞれに対応するタイムスタンプ情報に基づき、前記映像コンテンツデータのシーケンスの開始位置から所定の表示抑制位置までの期間内に属する時間帯が割り当てられた各列の画像表示エリア上に、当該各列に割り当てられた時間帯に属する顔画像それぞれを並べて表示する処理と、前記所定の表示抑制位置以降の時間帯が割り当てられた各列の画像表示エリア上に、当該各列に割り当てられた時間帯に属する顔画像それぞれを加工処理が施された状態で並べて表示する処理と、ユーザ操作に応じて、前記複数の列の中の所定の列を選択する処理と、前記表示抑制位置以降の期間内に属する時間帯が割り当てられている列が選択された場合、前記表示抑制位置を前記選択された列に割り当てられた時間帯の終端位置まで移動する処理とを実行するように構成されていることを特徴とする電子機器が提供される。
【００１０】
さらに、本発明の別の観点によれば、映像コンテンツデータに出現する画像の一覧を表示する画像表示方法であって、前記映像コンテンツデータのシーケンスから複数の代表画像を抽出すると共に、抽出された複数の代表画像それぞれが出現する時点を示すタイムスタンプ情報を出力する画像抽出ステップと、前記抽出された複数の代表画像を、前記映像コンテンツデータのシーケンスの開始位置から所定の表示抑制位置までの期間内に出現する第１の代表画像グループと、前記表示抑制位置以降に出現する第２の代表画像グループとに分け、前記第１の代表画像グループ内の代表画像の一覧を表示エリア上に表示すると共に、前記第２の代表画像グループ内の代表画像の一覧を、表示が抑制されるように各代表画像に加工処理が施された状態で、前記表示エリア上に表示する画像一覧表示処理ステップと、再生要求イベントの入力に応答して、前記表示エリア上に表示された代表画像の一覧の中からユーザによって選択された代表画像に対応する時点から、前記映像コンテンツデータの再生を開始する再生ステップとを具備することを特徴とする画像表示方法が提供される。
【発明の効果】
【００１１】
本発明によれば、映像コンテンツデータの視聴価値を損ねることなく、映像コンテンツデータの概要をユーザに提示することができる。
【発明を実施するための最良の形態】
【００１２】
以下、図面を参照して、本発明の実施形態を説明する。  
まず、図１および図２を参照して、本発明の一実施形態に係る電子機器の構成を説明する。本実施形態の電子機器は、例えば、情報処理装置として機能するノートブック型の携帯型パーソナルコンピュータ１０から実現されている。
【００１３】
このパーソナルコンピュータ１０は、放送番組データ、外部機器から入力されるビデオデータといった、映像コンテンツデータ（オーディオビジュアルコンテンツデータ）を記録および再生することができる。即ち、パーソナルコンピュータ１０は、テレビジョン放送信号によって放送される放送番組データの視聴および録画を実行するためのテレビジョン（ＴＶ）機能を有している。このＴＶ機能は、例えば、パーソナルコンピュータ１０に予めインストールされているＴＶアプリケーションプログラムによって実現されている。また、ＴＶ機能は、外部のＡＶ機器から入力されるビデオデータを記録する機能、および記録されたビデオデータおよび記録された放送番組データを再生する機能も有している。
【００１４】
さらに、パーソナルコンピュータ１０は、パーソナルコンピュータ１０に格納された、ビデオデータ、放送番組データのような映像コンテンツデータ中に出現するオブジェクトの画像のような代表画像の一覧、例えば、映像コンテンツデータに出現する人物の顔画像の一覧等を表示する画像一覧表示機能を有している。この顔画像一覧表示機能は、例えば、ＴＶ機能内にその一機能として実装されている。顔画像一覧表示機能は、ナビゲーション対象としてユーザによって選択された映像コンテンツデータの概要等をユーザに提示するための映像インデキシング機能の一つである。この顔画像一覧表示機能は、ナビゲーション対象の映像コンテンツデータ全体の中のどの時間帯にどの人物が登場するのかをユーザに提示することができる。また、この顔画像一覧表示機能は、映像コンテンツデータ内に含まれる所定の属性区間に着目して人物の一覧を表示することもできる。
【００１５】
さらに、この顔画像一覧表示機能は、映像コンテンツデータのシーケンスの開始位置から終端位置までの全期間に出現する顔画像それぞれを表示エリア上に表示するのではなく、映像コンテンツデータの例えば後半のような特定の期間（表示抑制期間）内に出現する顔画像それぞれの表示を抑制して表示抑制期間内に出現する各顔画像を不可視状態（各顔画像の視認が困難な状態を含む）に設定する機能（表示抑制機能）も有している。この場合、表示抑制期間以外の期間内、例えば映像コンテンツデータの前半の期間内、に出現する顔画像群のみが表示エリア上に可視状態で表示される。
【００１６】
例えば、表示抑制期間内に出現する各顔画像に対して、ぼかし、縮小、隠し等の加工処理を施すことにより、抑制表示期間内に出現する各顔画像を不可視状態に設定することができる。もちろん、表示抑制期間内に出現する各顔画像を表示エリア上に表示しないようにしてもよい。
【００１７】
図１はコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１８】
ディスプレイユニット１２は、コンピュータ本体１１に対し、コンピュータ本体１１の上面が露出される開放位置とコンピュータ本体１１の上面を覆う閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、入力操作パネル１５、タッチパッド１６、およびスピーカ１８Ａ，１８Ｂなどが配置されている。
【００１９】
入力操作パネル１５は、押されたボタンに対応するイベントを入力する入力装置であり、複数の機能をそれぞれ起動するための複数のボタンを備えている。これらボタン群には、ＴＶ機能（放送番組データ／ビデオデータの視聴、放送番組データ／ビデオデータの録画、録画された放送番組データ／ビデオデータの再生）を制御するための操作ボタン群も含まれている。また、コンピュータ本体１１の正面には、本コンピュータ１０のＴＶ機能をリモート制御するリモコンユニットとの通信を実行するためのリモコンユニットインタフェース部２０が設けられている。リモコンユニットインタフェース部２０は、赤外線信号受信部などから構成されている。
【００２０】
コンピュータ本体１１の例えば右側面には、ＴＶ放送用のアンテナ端子１９が設けられている。また、コンピュータ本体１１の例えば背面には、例えばＨＤＭＩ(high-definition multimedia interface)規格に対応した外部ディスプレイ接続端子が設けられている。この外部ディスプレイ接続端子は、放送番組データのような映像コンテンツデータに含まれる映像データ（動画像データ）を外部ディスプレイに出力するために用いられる。
【００２１】
次に、図２を参照して、本コンピュータ１０のシステム構成について説明する。
【００２２】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、ＤＶＤドライブ１１２、ビデオプロセッサ１１３、メモリ１１３Ａ、カードコントローラ１１３、無線ＬＡＮコントローラ１１４、IEEE 1394コントローラ１１５、エンベデッドコントローラ／キーボードコントローラＩＣ（ＥＣ／ＫＢＣ）１１６、ＴＶチューナ１１７、およびＥＥＰＲＯＭ１１８等を備えている。
【００２３】
ＣＰＵ１０１は本コンピュータ１０の動作を制御するプロセッサであり、ハードディスクドライブ（ＨＤＤ）１１１から主メモリ１０３にロードされる、オペレーティングシステム（ＯＳ）２０１、およびＴＶアプリケーションプログラム２０２のような各種アプリケーションプログラムを実行する。ＴＶアプリケーションプログラム２０２はＴＶ機能を実行するためのソフトウェアである。このＴＶアプリケーションプログラム２０２は、ＴＶチューナ１１７によって受信された放送番組データを視聴するためのライブ再生処理、受信された放送番組データをＨＤＤ１１１に記録する録画処理、およびＨＤＤ１１１に記録された放送番組データ／ビデオデータを再生する再生処理等を実行する。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００２４】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、PCI EXPRESS規格のシリアルバスなどを介してＧＰＵ１０５との通信を実行する機能も有している。
【００２５】
ＧＰＵ１０５は、本コンピュータ１０のディスプレイモニタとして使用されるＬＣＤ１７を制御する表示コントローラである。このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ装置１にデジタル映像信号を送出することもできる。
【００２６】
ＨＤＭＩ端子２は上述の外部ディスプレイ接続端子である。ＨＤＭＩ端子２は、非圧縮のデジタル映像信号と、デジタルオーディオ信号とを一本のケーブルでテレビのような外部ディスプレイ装置１に送出することができる。ＨＤＭＩ制御回路３は、ＨＤＭＩモニタと称される外部ディスプレイ装置１にデジタル映像信号をＨＤＭＩ端子２を介して送出するためのインタフェースである。
【００２７】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ハードディスクドライブ（ＨＤＤ）１１１およびＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。
【００２８】
またさらに、サウスブリッジ１０４には、PCI EXPRESS規格のシリアルバスなどを介してビデオプロセッサ１１３が接続されている。
【００２９】
ビデオプロセッサ１１３は、前述の映像インデキシングに関する各種処理を実行するプロセッサである。このビデオプロセッサ１１３は、映像インデキシング処理を実行するためのインデキシング処理部として機能する。すなわち、映像インデキシング処理においては、ビデオプロセッサ１１３は、映像コンテンツデータに含まれる動画像データから複数の代表画像を抽出すると共に、抽出された各代表画像が映像コンテンツデータ内に登場する時点を示すタイムスタンプ情報、等を出力する。代表画像としては、例えば、人物の顔画像を使用し得る。顔画像の抽出は、例えば、映像コンテンツデータに含まれる動画像データの各フレームから顔領域を検出する顔検出処理、検出された顔領域をフレームから切り出す切り出し処理等によって実行される。顔領域の検出は、例えば、各フレームの画像の特徴を解析して、予め用意された顔画像特徴サンプルと類似する特徴を有する領域を探索することによって行うことができる。顔画像特徴サンプルは、多数の人物それぞれの顔画像特徴を統計的に処理することによって得られた特徴データである。
【００３０】
さらに、ビデオプロセッサ１１３は、例えば、映像コンテンツデータ内に含まれるコマーシャル（ＣＭ）区間を検出する処理、および音声インデキシング処理も実行する。通常、各ＣＭ区間の時間長は、予め決められた幾つかの時間長の内の１つに設定されている。また、ＣＭ区間の前後には一定時間長の無音期間が存在する。したがって、ＣＭ区間の検出処理においては、例えば、映像コンテンツデータ内に含まれるオーディオデータが分析され、一定時間長の無音区間が検出される。そして、検出された連続する２つの無音区間に挾まれ、且つ一定値以上の時間長を有する部分データを含む区間が、ＣＭ区間として検出される。
【００３１】
音声インデキシング処理は、映像コンテンツデータ内に含まれるオーディオデータを分析して、映像コンテンツデータ内に含まれる、音楽が流れている音楽区間、および人物によるトークが行われているトーク区間を検出するインデキシング処理である。音声インデキシング処理においては、例えば、オーディオデータの周波数スペクトルの特徴が分析され、その周波数スペクトルの特徴に応じて、音楽区間、およびトーク区間が検出される。音楽区間に対応する周波数スペクトルの特徴と、トーク区間に対応する周波数スペクトルの特徴とは互いに異なるので、周波数スペクトルの特徴を分析することによって、音楽区間およびトーク区間のそれぞれを検出することができる。また、音楽区間に対応する周波数スペクトルの特徴とトーク区間に対応する周波数スペクトルの特徴とが混ざり合った周波数スペクトル特徴（音響特徴）を有する区間は、音楽区間とトーク区間とが重なった重畳区間として検出することができる。
【００３２】
トーク区間の検出処理においては、例えば、話者セグメンテーション技術または話者クラスタリング技術等が用いられ、これによって話者の切り替わりも検出される。同一の話者（または同一の話者グループ）が連続してトークしている期間が、一つのトーク区間となる。
【００３３】
さらに、音声インデキシング処理は、映像コンテンツデータ内の各部分データ（一定時間長のデータ）毎に歓声レベルを検出する歓声レベル検出処理、および映像コンテンツデータ内の各部分データ毎に盛り上がりレベルを検出する盛り上がりレベル検出処理を実行する。
【００３４】
歓声レベルは、歓声の大きさを示す。歓声は、大勢の人の声が合わさった音である。大勢の人の声が合わさった音は、ある特定の周波数スペクトルの分布を有する。歓声レベル検出処理においては、映像コンテンツデータに含まれるオーディオデータの周波数スペクトルが分析され、そしてその周波数スペクトルの分析結果に従って、各部分データの歓声レベルが検出される。盛り上がりレベルは、ある一定以上の音量レベルがある一定時間長以上連続的に発生する区間の音量レベルである。例えば、比較的盛大な拍手、大きな笑い声のような音の音量レベルが、盛り上がりレベルである。盛り上がりレベル検出処理においては、映像コンテンツデータに含まれるオーディオデータの音量の分布が分析され、その分析結果に従って、各部分データの盛り上がりレベルが検出される。なお、音量レベルそのものを盛り上がりレベルとして使用することも可能である。
【００３５】
メモリ１１３Ａは、ビデオプロセッサ１１３の作業メモリとして用いられる。インデキシング処理（ＣＭ検出処理、映像インデキシング処理、および音声インデキシング処理）を実行するためには多くの演算量が必要とされる。本実施形態においては、ＣＰＵ１０１とは異なる専用のプロセッサであるビデオプロセッサ１１３がバックエンドプロセッサとして使用され、このビデオプロセッサ１１３によってインデキシング処理が実行される。よって、ＣＰＵ１０１の負荷の増加を招くことなく、インデキシング処理を実行することが出来る。なお、ＣＭ検出処理は上述したようにオーディオデータを解析することによって実行することができるので、以下では、ＣＭ検出処理を音声インデキシング処理内の１つの処理として扱うことにする。
【００３６】
サウンドコントローラ１０６は音源デバイスであり、再生対象のオーディオデータをスピーカ１８Ａ，１８ＢまたはＨＤＭＩ制御回路３に出力する。
【００３７】
無線ＬＡＮコントローラ１１４は、たとえばIEEE 802.11規格の無線通信を実行する無線通信デバイスである。IEEE 1394コントローラ１１５は、IEEE 1394規格のシリアルバスを介して外部機器との通信を実行する。
【００３８】
エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１１６は、リモコンユニットインタフェース２０との通信を実行する機能を有している。
【００３９】
ＴＶチューナ１１７はテレビジョン（ＴＶ）放送信号によって放送される放送番組データを受信する受信装置であり、アンテナ端子１９に接続されている。このＴＶチューナ１１７は、例えば、地上波デジタルＴＶ放送のようなデジタル放送番組データを受信可能なデジタルＴＶチューナとして実現されている。また、ＴＶチューナ１１７は、外部機器から入力されるビデオデータをキャプチャする機能も有している。
【００４０】
次に、図３を参照して、ＴＶアプリケーションプログラム２０２によって実行される顔画像一覧表示機能について説明する。
【００４１】
放送番組データのような映像コンテンツデータに対するインデキシング処理（映像インデキシング処理、および音声インデキシング処理）は、上述したように、インデキシング処理部として機能するビデオプロセッサ１１３によって実行される。
【００４２】
ビデオプロセッサ１１３は、ＴＶアプリケーションプログラム２０２の制御の下、例えば、ユーザによって指定された録画済みの放送番組データ等の映像コンテンツデータに対してインデキシング処理を実行する。また、ビデオプロセッサ１１３は、ＴＶチューナ１１７によって受信された放送番組データをＨＤＤ１１１に格納する録画処理と並行して、当該放送番組データに対するインデキシング処理を実行することもできる。
【００４３】
映像インデキシング処理（顔画像インデキシング処理とも云う）においては、ビデオプロセッサ１１３は、映像コンテンツデータに含まれる動画像データをフレーム単位で解析する。そして、ビデオプロセッサ１１３は、動画像データを構成する複数のフレームそれぞれから人物の顔画像を抽出すると共に、抽出された各顔画像が映像コンテンツデータ内に登場する時点を示すタイムスタンプ情報を出力する。各顔画像に対応するタイムスタンプ情報としては、映像コンテンツデータの開始から当該顔画像が登場するまでの経過時間、または当該顔画像が抽出されたフレーム番号、等を使用することが出来る。
【００４４】
さらに、ビデオプロセッサ１１３は、抽出された各顔画像のサイズ（解像度）も出力する。ビデオプロセッサ１１３から出力される顔検出結果データ（顔画像、タイムスタンプ情報ＴＳ、およびサイズ）は、データベース１１１Ａに顔画像インデキシング情報として格納される。このデータベース１１１Ａは、ＨＤＤ１１１内に用意されたインデキシングデータ記憶用の記憶領域である。
【００４５】
さらに、映像インデキシング処理においては、ビデオプロセッサ１１３は、顔画像を抽出する処理と並行して、サムネイル画像取得処理も実行する。サムネイル画像は、映像コンテンツデータから例えば等時間間隔で抽出された複数のフレームの各々に対応する画像（縮小画像）である。すなわち、ビデオプロセッサ１１３は、顔画像を含むフレームであるか否かに関係なく、映像コンテンツデータから例えば所定の等時間間隔でフレームを順次抽出し、抽出した各フレームに対応する画像（サムネイル画像）と、そのサムネイル画像が出現する時点を示すタイムスタンプ情報ＴＳとを出力する。ビデオプロセッサ１１３から出力されるサムネイル画像取得結果データ（サムネイル、タイムスタンプ情報ＴＳ）も、データベース１１１Ａにサムネイルインデキシング情報として格納される。
【００４６】
また、音声インデキシング処理においては、ビデオプロセッサ１１３は、映像コンテンツに含まれるオーディオデータの音響特徴を分析して、映像コンテンツデータ内に含まれる複数種の属性区間（ＣＭ区間、音楽区間、およびトーク区間）を検出し、検出された各属性区間の開始および終了の時点を規定する区間属性情報を出力する。この区間属性情報は、例えば、各属性区間毎にその属性区間の開始時点および終了時点をそれぞれ示す時間情報から構成することができる。また、区間属性情報を、属性区間の開始時点を示す情報とその属性区間の時間長を示す情報とによって構成してもよい。
【００４７】
この区間属性情報は、属性検出結果情報としてデータベース１１１Ａに格納される。さらに、音声インデキシング処理においては、ビデオプロセッサ１１３は、上述の歓声レベル検出処理および盛り上がりレベル検出処理も実行する。これら歓声レベル検出処理の結果および盛り上がりレベル検出処理の結果も、上述の属性検出結果情報の一部としてデータベース１１１Ａに格納される。
【００４８】
属性検出結果情報（区間属性情報）は、図４に示されているように、例えば、ＣＭ区間テーブル、音楽区間テーブル、トーク区間テーブル、および歓声／盛り上がりテーブルから構成されている。
【００４９】
ＣＭ区間テーブルは、検出されたＣＭ区間の開始時点および終了時点を示すＣＭ区間属性情報を格納する。映像コンテンツデータの開始位置から終端位置までのシーケンス内に複数のＣＭ区間が存在する場合には、それら複数のＣＭ区間それぞれに対応するＣＭ区間属性情報がＣＭ区間テーブルに格納される。ＣＭ区間テーブルにおいては、検出された各ＣＭ区間毎に当該ＣＭ区間の開始時点および終了時点をそれぞれ示すスタートタイム情報およびエンドタイム情報が格納される。
【００５０】
音楽区間テーブルは、検出された音楽区間の開始時点および終了時点を示す音楽区間属性情報を格納する。映像コンテンツデータの開始位置から終端位置までのシーケンス内に複数の音楽区間が存在する場合には、それら複数の音楽区間それぞれに対応する音楽区間属性情報が音楽区間テーブルに格納される。音楽区間テーブルにおいては、検出された各音楽区間毎に当該音楽区間の開始時点および終了時点をそれぞれ示すスタートタイム情報およびエンドタイム情報が格納される。
【００５１】
トーク区間テーブルは、検出されたトーク区間の開始時点および終了時点を示す音楽区間属性情報を格納する。映像コンテンツデータの開始位置から終端位置までのシーケンス内に複数のトーク区間が存在する場合には、それら複数のトーク区間それぞれに対応するトーク区間属性情報がトーク区間テーブルに格納される。トーク区間テーブルにおいては、検出された各トーク区間毎に当該トーク区間の開始時点および終了時点をそれぞれ示すスタートタイム情報およびエンドタイム情報が格納される。
【００５２】
歓声／盛り上がりテーブルは、映像コンテンツデータ内の一定時間長の部分データ（タイムセグメントＴ１，Ｔ２，Ｔ３，…）それぞれにおける歓声レベルおよび盛り上がりレベルを格納する。
【００５３】
図３に示されているように、ＴＶアプリケーションプログラム２０２は、顔画像一覧表示機能を実行するための顔画像一覧表示処理部３０１を含んでいる。この顔画像一覧表示処理部３０１は、例えば、インデキシングビューワプログラムとして実現されており、データベース１１１Ａに格納されたインデキシング情報（顔画像インデキシング情報、サムネイルインデキシング情報、区間属性情報、等）を用いて、映像コンテンツデータの概要を俯瞰するためのインデキシングビュー画面を表示する。
【００５４】
具体的には、顔画像一覧表示処理部３０１は、データベース１１１Ａから顔画像インデキシング情報（顔画像、タイムスタンプ情報ＴＳ、およびサイズ）を読み出し、そしてその顔画像インデキシング情報を用いて、映像コンテンツデータに登場する人物の顔画像の一覧を、インデキシングビュー画面上の２次元の表示エリア（以下、顔サムネイル表示エリアと称する）上に表示する。この場合、顔画像一覧表示処理部３０１は、映像コンテンツデータの総時間長を、例えば等間隔で、複数の時間帯に分割し、時間帯毎に、抽出された顔画像の内から当該時間帯に登場する顔画像を所定個選択する。そして、顔画像一覧表示処理部３０１は、時間帯毎に、選択した所定個の顔画像それぞれを並べて表示する。
【００５５】
すなわち、２次元の顔サムネイル表示エリアは、複数の行および複数の列を含むマトリクス状に配置された複数の顔画像表示エリアを含む。複数の列それぞれには、映像コンテンツデータの総時間長を構成する複数の時間帯が割り当てられている。具体的には、例えば、複数の列それぞれには、映像コンテンツデータの総時間長をこれら複数の列の数で等間隔に分割することによって得られる、互いに同一の時間長を有する複数の時間帯がそれぞれ割り当てられる。もちろん、各列に割り当てられる時間帯は必ずしも同一の時間長でなくてもよい。
【００５６】
顔画像一覧表示処理部３０１は、顔画像それぞれに対応するタイムスタンプ情報ＴＳに基づき、各列内に属する行数分の顔画像表示エリア上に、当該各列に割り当てられた時間帯に属する顔画像それぞれを、例えば、それら顔画像の出現頻度順（顔画像の検出時間長順）のような順序で並べて表示する。この場合、例えば、当該各列に割り当てられた時間帯に属する顔画像の内から、出現頻度（登場頻度）の高い順に顔画像が行数分だけ選択され、選択された顔画像が登場頻度順に上から下に向かって並んで配置される。もちろん、出現頻度順ではなく、各列に割り当てられた時間帯に出現する顔画像それぞれを、その出現順に並べて表示してもよい。
【００５７】
この顔画像一覧表示機能により、映像コンテンツデータ全体の中のどの時間帯にどの人物が登場するのかをユーザに分かりやすく提示することができる。顔サムネイル表示エリアの具体的な構成例については、図６以降で後述する。
【００５８】
また、顔画像一覧表示処理部３０１は、データベース１１１Ａからサムネイルインデキシング情報（サムネイル、タイムスタンプ情報ＴＳ）を読み出し、そしてサムネイルインデキシング情報を用いて、サムネイル画像それぞれを、顔サムネイル表示エリアの下方側または上方側の一方に配置されたサムネイル表示エリア（以下、じゃばらサムネイル表示エリアと称する）上に、それらサムネイル画像の出現時間順に一列に並べて表示する。
【００５９】
映像コンテンツデータによっては、顔画像が登場しない時間帯も存在する。したがって、インデキシングビュー画面上に顔サムネイル表示エリアのみならず、じゃばらサムネイル表示エリアも表示することにより、顔画像が登場しない時間帯においても、その時間帯の映像コンテンツデータの内容をユーザに提示することができる。
【００６０】
さらに、顔画像一覧表示処理部３０１は、データベース１１１Ａから区間属性情報（ＣＭ区間属性情報、音楽区間属性情報、トーク区間属性情報）を読み出し、その区間属性情報に従って、映像コンテンツデータの開始位置から終端位置までのシーケンス内における各属性区間（ＣＭ区間、音楽区間、トーク区間）の位置（開始時点から終了時点までの区間）を示すバー領域を含む区間バーを、インデキシングビュー画面上の顔サムネイル表示エリアの下方側または上方側の一方に表示する。
【００６１】
インデキシングビュー画面上に区間バーを表示することにより、顔サムネイル表示エリア内の各顔画像がどのような属性区間（ＣＭ区間、音楽区間、トーク区間）に登場する人物の顔画像であるかを、ユーザに提示することができる。したがって、ユーザは、登場人物と、区間属性とを考慮して、映像コンテンツデータ全体の中から再生を開始すべきデータ位置を見つけることができる。
【００６２】
さらに、顔画像一覧表示処理部３０１は、データベース１１１Ａから歓声レベル情報および盛り上がりレベル情報を読み出し、それら歓声レベル情報および盛り上がりレベル情報に従って、映像コンテンツデータの開始位置から終端位置までのシーケンス内における歓声レベルの変化および盛り上がりレベルの変化をそれぞれ示すグラフを、インデキシングビュー画面上の顔サムネイル表示エリアの下方側または上方側の一方に配置されたレベル表示エリア上に表示する。
【００６３】
このレベル表示エリアを見ることにより、ユーザは、映像コンテンツデータ内のどの辺りに大きな歓声が生じた区間が存在し、また映像コンテンツデータ内のどの辺りに盛り上がりの大きな区間が存在するかを知ることができる。ユーザは、登場人物と、区間属性と、歓声レベルと、盛り上がりレベルとを考慮して、映像コンテンツデータ全体の中から再生を開始すべきデータ位置を見つけることができる。
【００６４】
さらに、顔画像一覧表示処理部３０１は、顔画像一覧の表示によって映像コンテンツデータの視聴価値が損なわれることを未然に防止するために、顔画像の一覧を顔サムネイル表示エリア上に表示する際には上述の表示抑制機能を実行することができる。
【００６５】
すなわち、顔画像一覧表示処理部３０１は、映像コンテンツデータから抽出された複数の顔画像の内、映像コンテンツデータのシーケンスの開始位置から所定の表示抑制位置（抑制制御ポイントとも云う）までの期間内に出現する顔画像の一覧を顔サムネイル表示エリア上に表示し、且つ抽出された複数の顔画像の内、表示抑制位置以降に出現する顔画像それぞれの表示を抑制して当該表示抑制位置以降に出現する各顔画像を不可視状態に設定する。映像コンテンツデータのシーケンスの開始位置から表示抑制位置までの期間は、顔画像の一覧の表示が許可された表示許可期間である。表示許可期間内に出現する各顔画像は顔サムネイル表示エリア上に表示される。映像コンテンツデータのシーケンスの表示抑制位置よりも後の期間、例えば、表示抑制位置からシーケンスの終端位置までの期間は、顔画像の一覧の表示が抑制（禁止）された表示抑制期間である。表示抑制期間内に出現する各顔画像の表示は抑制され、それら各顔画像はユーザが視認できないように不可視状態（各顔画像の視認が困難な状態を含む）に設定される。
【００６６】
顔画像一覧表示処理部３０１は、映像コンテンツデータから抽出された複数の顔画像を表示許可期間内に属する第１の顔画像グループと表示抑制期間内に属する第２の顔画像グループとに分類する。第１の顔画像グループに属する各顔画像は顔画像一覧表示処理部３０１によって顔サムネイル表示エリア上に表示される。一方、第２の顔画像グループに属する各顔画像は、例えば、顔画像一覧表示処理部３０１によって加工処理（ぼかし、縮小、隠す）が施された状態で顔サムネイル表示エリア上に表示される。もちろん、第２の顔画像グループに属する各顔画像の表示自体を禁止してもよい。
【００６７】
表示抑制位置としては、例えば、映像コンテンツデータのシーケンスの開始位置からある基準時間だけ経過した時点を使用し得る。この場合、基準時間は、映像コンテンツデータの総時間長に応じて可変設定してもよい。例えば、映像コンテンツデータの総時間長の１／２の時間、総時間長の２／３の時間、または総時間長の３／４の時間、等を基準時間として使用することが出来る。
【００６８】
また、上述の表示抑制機能は、一度も再生されていない未再生の映像コンテンツデータに対してのみ適用するようにしてもよい。この場合、顔画像一覧表示処理部３０１は、ナビゲーション対象の映像コンテンツデータが再生されたことがある再生済みの映像コンテンツデータまたは一度も再生されていない未再生の映像コンテンツデータのいずれであるかを判別する。
【００６９】
ナビゲーション対象の映像コンテンツデータが未再生の映像コンテンツデータである場合、顔画像一覧表示処理部３０１は、上述の表示抑制機能を用いて、インデキシングビュー画面上に顔画像の一覧を表示する。この場合、当該映像コンテンツデータのシーケンスの開始位置から所定の基準時間だけ経過した時点が表示抑制位置として用いられる。そして、映像コンテンツデータから抽出された複数の顔画像の内、当該映像コンテンツデータのシーケンスの開始位置から表示抑制位置までの期間内に出現する顔画像の一覧のみが顔サムネイル表示エリア上に表示される。これにより、一度も再生されていない未再生の映像コンテンツデータのストーリの結末などがユーザに提示されてしまうという事態の発生を防止できるので、未再生の映像コンテンツデータの視聴価値を損ねる可能性を低減することができる。
【００７０】
ナビゲーション対象の映像コンテンツデータが再生済みの映像コンテンツデータである場合、顔画像一覧表示処理部３０１は、上述の表示抑制機能を使用せずに、当該映像コンテンツデータのシーケンスの全区間に属する顔画像の一覧を顔サムネイル表示エリア上に表示する。
【００７１】
なお、ナビゲーション対象の映像コンテンツデータがたとえ、少なくも一度は再生されたことがある再生済みの映像コンテンツデータであっても、途中までしか再生されていなかった場合も考えられる。したがって、再生済みの映像コンテンツデータに対しても表示抑制機能は有用である。この場合、表示抑制位置は、映像コンテンツデータの再生履歴に従って次のように適応的に設定すればよい。
【００７２】
すなわち、ナビゲーション対象の映像コンテンツデータが再生済みの映像コンテンツデータである場合には、例えば、ナビゲーション対象の映像コンテンツデータの前回の再生処理での再生終了位置に対応する時点（再生ポイント）を上述の表示抑制位置として使用することができる。この場合、既に視聴済みの区間、つまり映像コンテンツデータの開始位置から再生終了位置までの期間、が表示許可期間となり、再生終了位置から終端位置までの期間が表示抑制期間となる。なお、表示抑制期間内に属するＣＭ属性期間などは、表示許可期間として扱うことも可能である。  
また、再生済みの映像コンテンツデータの過去の再生処理それぞれにおける再生終了位置の中で最も後方の再生終了位置に対応する時点を、表示抑制位置として使用することも出来る。
【００７３】
すなわち、ＴＶアプリケーションプログラムプログラム２０２は、再生済みの映像コンテンツデータを再生するための再生方法として、“プレイ”、“レジューム”、“リスタート”の３種類の再生処理をサポートしている。１度も再生されていない未再生の映像コンテンツデータに対しては“プレイ”のみが可能である。ユーザによって“プレイ”の実行が指示されると、映像コンテンツデータはそのシーケンスの開始位置から再生される。再生されたことのあるコンテンツに対しては、ユーザは、“レジューム”、“リスタート”の一方を選択することが出来る。映像コンテンツデータの再生の再開を要求する再生再開要求イベントが入力された場合、つまりユーザによって“レジューム”の実行が指示されると、映像コンテンツデータは前回の再生処理での再生終了位置（再生ポイント）から再生される。ユーザによって“リスタート”の実行が指示されると、映像コンテンツデータは再生ポイントではなく、そのシーケンスの開始位置から再生される。
【００７４】
よって、何度も再生／中断が繰り返された映像コンテンツデータについては、再生ポイントと、過去の再生処理それぞれにおける再生終了位置の中で最も後方の再生終了位置とが異なる場合がある。よって、過去の再生処理それぞれにおける再生終了位置の中で最も後方の再生終了位置に対応する時点を表示抑制位置として使用することにより、表示抑制期間をより適切に設定することができる。
【００７５】
図５には、ＴＶアプリケーションプログラムプログラム２０２によって映像コンテンツデータ毎に管理されている再生履歴情報の例が示されている。
【００７６】
この再生履歴情報は、例えば、データベース１１１Ａに格納されている。再生履歴情報は、ＨＤＤ１１１または光ディスクメディア等に格納されている映像コンテンツデータ毎に、“コンテンツデータＩＤ”、“再生済フラグ”、“再生ポイント”、“最も後方の再生終了済みポイント”を示す。“コンテンツデータＩＤ”は、映像コンテンツデータを識別するための識別情報（ファイル名、タイトル名、等）である。“再生済フラグ”は、映像コンテンツデータが再生されたことがあるか否かを示す。“再生ポイント”は、映像コンテンツデータの前回の再生処理での再生終了位置に対応する時点を示す。ＴＶアプリケーションプログラムプログラム２０２は、映像コンテンツデータの再生が当該映像コンテンツデータのシーケンスの途中の時点で中断された場合、当該中断された時点を再生ポイントとしてデータベース１１１Ａに格納する。“最も後方の再生終了済みポイント”は、映像コンテンツデータの過去の再生処理それぞれにおける再生終了位置の中で最も後方の再生終了位置を示す。
【００７７】
顔画像一覧表示処理部３０１は、図５の再生履歴情報に応じて、表示抑制位置を適応的に制御することができる。
【００７８】
次に、図６を参照して、ＴＶアプリケーションプログラム２０２の機能構成を説明する。
【００７９】
ＴＶアプリケーションプログラム２０２は、上述の顔画像一覧表示処理部３０１に加え、記録処理部４０１、インデキシング制御部４０２、再生処理部４０３等を備えている。
【００８０】
記録処理部４０１は、ＴＶチューナ１１７によって受信された放送番組データ、または外部機器から入力されるビデオデータをＨＤＤ１１１に記録する記録処理を実行する。また、記録処理部４０１は、ユーザによって予め設定された録画予約情報（チャンネル番号、日時）によって指定される放送番組データをＴＶチューナ１１７を用いて受信し、その放送番組データをＨＤＤ１１１に記録する予約録画処理も実行する。
【００８１】
インデキシング制御部４０２は、ビデオプロセッサ（インデキシング処理部）１１３を制御して、インデキシング処理（映像インデキシング処理、音声インデキシング処理）をビデオプロセッサ１１３に実行させる。ユーザは、録画対象の放送番組データ毎にインデキシング処理を実行するか否かを指定することができる。例えば、インデキシング処理の実行が指示された録画対象の放送番組データについては、その放送番組データをＨＤＤ１１１に記録する処理と並行してインデキシング処理が自動的に開始される。また、ユーザは、既にＨＤＤ１１１に格納されている映像コンテンツデータの内から、インデキシング処理を実行すべき映像コンテンツデータを指定することもできる。
【００８２】
再生処理部４０３は、ＨＤＤ１１１に格納されている各映像コンテンツデータを再生する処理を実行する。また、再生処理部４０３は、ある映像コンテンツデータの顔画像一覧の中の一つの顔画像が選択されている状態でユーザ操作によって再生要求イベントが入力された時、選択されている顔画像が登場する時点よりも所定時間前の時点から映像コンテンツデータの再生を開始する機能を有している。
【００８３】
ユーザは、顔画像一覧を見ながら、映像コンテンツデータの再生を開始すべき位置を決定することができる。
【００８４】
なお、インデキシング処理は、必ずしもビデオプロセッサ１１３によって実行する必要はなく、例えば、ＴＶアプリケーションプログラム２０２にインデキシング処理を実行する機能を設けてもよい。この場合、インデキシング処理は、ＴＶアプリケーションプログラム２０２の制御の下に、ＣＰＵ１０１によって実行される。
【００８５】
次に、図７乃至図１２を参照して、インデキシングビュー画面の具体的な構成について説明する。
【００８６】
図７には、顔画像一覧表示処理部３０１によってＬＣＤ１７に表示されるインデキシングビュー画面の例が示されている。このインデキシングビュー画面は、ある映像コンテンツデータ（例えば放送番組データ）をインデキシング処理することによって得られた画面である。このインデキシングビュー画面には、顔画像の一覧を表示するための上述の顔サムネイル表示エリアと、上述のレベル表示エリアと、上述の区間バーと、サムネイル画像の一覧をじゃばら形式で表示するための上述のじゃばらサムネイル表示エリアとを含んでいる。
【００８７】
ここで、じゃばら形式とは、選択されているサムネイル画像を通常サイズで表示し、他の各サムネイル画像についてはその横方向サイズを縮小して表示する表示形式である。図７においては、左端のサムネイル画像が選択されている場合を示している。
【００８８】
顔画像一覧表示処理部３０１は、ユーザ操作によって選択されたサムネイル画像を第１の横幅サイズで表示し、他の各サムネイル画像の横幅サイズを第１の横幅サイズよりも小さい横幅サイズで表示する。具体的には、選択されたサムネイル画像は第１の横幅サイズで表示され、その選択されたサムネイル画像の近傍の幾つかサムネイル画像はその横幅が縮小された状態で表示され、他の各サムネイル画像はさらに僅かな横幅で表示される。選択されているサムネイル画像には、さらに矩形の枠を付加してもよい。
【００８９】
レベル表示エリアにおいては、歓声レベルの変化を示すグラフ（図７中の濃い色で示されるグラフ）と、盛り上がりレベルの変化を示すグラフ（図７中の薄い色で示されるグラフ）が表示される。
【００９０】
区間バーは、トーク区間、音楽区間、ＣＭ区間それぞれの位置を示す。区間バーにおいては、各ＣＭ区間の位置にはある色のバー領域（図７の黒色の帯状領域）が表示される。また、各音楽区間の位置には他の色のバー領域（図７のクロスハッチングされた帯状領域）が表示される。また、各トーク区間の位置にはさらに別の色のバー領域（図７のハッチングされた帯状領域）が表示される。ユーザは、リモコンユニットのボタン、上下左右等のカーソルキーの操作により、区間バー内の一つのバー領域を選択することもできる。
【００９１】
顔サムネイル表示エリアにおいては、複数の顔画像の一覧が表示される。なお、顔画像が一定期間以上連続して検出されなかった場合には、フレーム全体のサムネイル画像を顔サムネイル表示エリアに表示しても良い。また、シーンの変わり目毎に、フレーム全体のサムネイル画像を顔サムネイル表示エリアに表示しても良い。
【００９２】
図８は、顔サムネイル表示エリアの構成例が示されている。
【００９３】
顔サムネイル表示エリアは、複数の行と複数の列とを含むマトリクス状に配置された複数個の顔画像表示エリアを含んでいる。図８においては、顔サムネイル表示エリアは６行×１６列から構成されている。顔サムネイル表示エリアに含まれる顔画像表示エリアの数は、９６個である。
【００９４】
列１〜列１６のそれぞれには、例えば、映像コンテンツデータの総時間長を列数（＝１６）で等間隔で分割することによって得られる、互いに同一の時間長Ｔを有する複数の時間帯がそれぞれ割り当てられる。
【００９５】
例えば、映像コンテンツデータの総時間長が２時間であるならば、その２時間が１６個の時間帯に等間隔で分割される。この場合、各時間帯の時間長Ｔは、７．５分である。例えば、列１には、先頭0:00:00から0:07:30までの時間帯が割り当てられ、列２には、0:07:30から0:15:00までの時間帯が割り当てられ、列３には、0:15:00から0:22:30までの時間帯が割り当てられる。映像コンテンツデータの総時間長に応じて、各時間帯の時間長Ｔは変化する。
【００９６】
もちろん、複数の列それぞれに割り当てられる時間帯の長さは、必ずしも同一である必要はない。
【００９７】
顔画像一覧表示処理部３０１は、ビデオプロセッサ１１３によって抽出された顔画像それぞれに対応するタイムスタンプ情報に基づき、各列内の６個の顔画像表示エリア上に、当該各列に割り当てられた時間帯に属する顔画像それぞれをたとえば上述の頻度順に並べて表示する。この場合、顔画像一覧表示処理部３０１は、表示処理対象の列に割り当てられた時間帯に属する顔画像の内から行数分（６個）の顔画像を選択し、選択した行数分の顔画像それぞれを並べて表示する。
【００９８】
このように、顔サムネイル表示エリアにおいては、左端位置（1,1）を基点とし、右端位置(6,16)を映像コンテンツデータの終端とする時間軸が用いられている。
【００９９】
顔サムネイル表示エリアの各顔画像表示エリアに表示される顔画像のサイズは“大”、“中”、“小”の内からユーザが選択することができる。行と列の数は、ユーザが選択した顔画像のサイズに応じて変化される。顔画像のサイズと行と列の数との関係は、次の通りである。
【０１００】
（１）“大”の場合；  ３行×８列
（２）“中”の場合；  ６行×１６列
（３）“小”の場合：  １０行×２４列
“大”の場合においては、各顔画像は、例えば、１８０×１８０ピクセルのサイズで表示される。“中”の場合においては、各顔画像は、例えば、９０×９０ピクセルのサイズで表示される。“小”の場合においては、各顔画像は、例えば、６０×６０ピクセルのサイズで表示される。デフォルトの顔画像サイズは、例えば、“中”に設定されている。
【０１０１】
顔サムネイル表示エリア内の各顔画像は、選択されていない“標準”状態、選択されている“フォーカス”状態の２つの状態のいずれかに設定される。“フォーカス”状態の顔画像のサイズは、“標準”状態の時のサイズ（１８０×１８０、９０×９０、または６０×６０）よりも大きく設定される。図８においては、座標(１，１２)の顔画像が“フォーカス”状態である場合を示している。
【０１０２】
じゃばらサムネイル表示エリアに表示されるサムネイル画像の枚数は、ユーザ設定に従って、例えば２４０枚、１４４枚、９６枚、４８枚のいずれかに設定される。デフォルトは例えば２４０枚である。
【０１０３】
サムネイル画像は、選択されていない“標準”状態、選択されている“フォーカス”状態の２つの状態のいずれかに設定される。“フォーカス”状態のサムネイル画像は、他のサムネイル画像よりも大きいサイズで表示される。
【０１０４】
次に、図９を参照して、顔サムネイル表示エリアとじゃばらサムネイル表示エリアとの関係について説明する。
【０１０５】
同一列に属する顔画像表示エリア群の集合、つまり顔サムネイル表示エリア内の個々の列を“大区間”と称する。また、“大区間”をさらに分割したものを“小区間”と称する。１つの大区間に含まれる小区間の数は、じゃばらサムネイル表示エリアに表示されるサムネイル画像の数を顔サムネイル表示エリアの列数で割った商で与えられる。例えば、顔サムネイル表示エリアが６行×１６列で、じゃばらサムネイル表示エリアに表示されるサムネイル画像の数が２４０枚であるならば、１つの大区間に含まれる小区間の数は、１５（＝２４０÷１６）となる。１つの大区間は１５個の小区間を含む。換言すれば、１つの大区間に対応する時間帯には、１５枚のサムネイル画像が属することになる。
【０１０６】
じゃばらサムネイル表示エリア上のあるサムネイル画像が選択された時、顔画像一覧表示処理部３０１は、選択されたサムネイル画像のタイムスタンプ情報に基づき、顔サムネイル表示エリア内の複数の列（複数の大区間）の内で、選択されたサムネイル画像が属する時間帯が割り当てられた列（大区間）を選択する。選択される大区間は、選択されたサムネイル画像を小区間として含む大区間である。そして、顔画像一覧表示処理部３０１は、選択した大区間を強調表示する。この場合、選択された大区間には、例えば枠が付加される。
【０１０７】
さらに、顔画像一覧表示処理部３０１は、選択されたサムネイル画像と選択された大区間との間を接続する縦長のバーを表示する。この縦長のバー（現在位置バー）は、選択されたサムネイル画像に対応する小区間が、選択された大区間に含まれる１５個の小区間の内のどの小区間に対応するかを提示するために使用される。縦長のバーは、選択された大区間に含まれる１５個の小区間の内で、選択されたサムネイル画像に対応する小区間の位置に表示される。例えば、選択されたサムネイル画像が、ある大区間に対応する時間帯に属する１５枚のサムネイル画像の内の先頭の画像、つまり大区間内の先頭の小区間に対応する画像であるならば、選択されたサムネイル画像は、縦長のバーによって大区間の左端に接続される。また、例えば、選択されたサムネイル画像が、ある大区間に対応する時間帯に属する１５枚のサムネイル画像の内の終端の画像、つまり大区間内の終端の小区間に対応する画像であるならば、選択されたサムネイル画像は、縦長のバーによって大区間の右端に接続される。
【０１０８】
このように、じゃばらサムネイル表示エリア上のサムネイル画像が選択された時には、顔サムネイル表示エリア内の複数の列の内から、選択されたサムネイル画像が属する時間帯が割り当てられている列（大区間）が自動選択される。これにより、ユーザは、選択したサムネイル画像が、顔サムネイル表示エリア内のどの列（大区間）に対応する画像であるかを識別することができる。さらに、縦長のバーにより、ユーザは、選択したサムネイル画像が、どの列（大区間）内のどの辺りの時点に対応する画像であるかも識別することができる。
【０１０９】
また、顔画像一覧表示処理部３０１は、選択されたサムネイル画像のタイムスタンプ情報に基づいて、選択されたサムネイル画像が出現する時点を示す時間情報もインデキシングビュー画面上に表示する。
【０１１０】
“現在位置変更”ボタンは、現在位置（選択されているサムネイル画像、選択されている大区間）を変更するための操作ボタンである。“現在位置変更”ボタンがフォーカスされている状態でユーザが左カーソルキーまたは右カーソルキーを操作すると、選択対象のサムネイル画像は、例えば１小区間単位で、左または右に移動する。
【０１１１】
図１０は、表示抑制機能を用いた場合における顔画像一覧表示の例を示している。
【０１１２】
図１０においては、顔サムネイル表示エリア上の左から８列目と９列目との間の境界位置に対応する時点が、表示抑制位置（抑制制御ポイント）である場合を想定している。顔画像一覧表示処理部３０１は、映像コンテンツデータのシーケンスの開始位置から表示抑制位置（抑制制御ポイント）までの期間内に属する時間帯が割り当てられた各列（左端側の８個の各列）の画像表示エリア上に、当該各列に割り当てられた時間帯に属する代表画像それぞれを並べて表示する。表示抑制位置（抑制制御ポイント）以降の各列に表示されるべき各顔画像は不可視状態に設定される。
【０１１３】
もし、この状態で、ユーザによる現在位置変更ボタンの操作または左右キーの操作等によって現在位置が変更され、これによって表示抑制位置以降の期間内に属する時間帯が割り当てられている列が選択されたならば、顔画像一覧表示処理部３０１は、表示抑制位置を、選択された列に割り当てられた時間帯の終端位置まで移動する処理を実行する。例えば、もし図１０において、現在位置が左から９列目の列に移動されて、９列目の列が選択されたならば、これに連動して、表示抑制位置も、８列目と９列目との間の境界位置から９列目と１０列目との間の境界位置（選択された９列目の列に割り当てられた時間帯の終端位置）に移動される。このようにして、表示抑制期間に属する列の数は、ユーザ操作に応じて段階的に低減することができる。すなわち、ユーザは、インデキシングビュー画面の表示直後においては、表示抑制位置以降の期間内に属する各顔画像を見ることはできないものの、必要に応じて、選択対象の列を表示抑制期間に属する列にまで移動することにより、表示抑制位置以降の期間内に属する各顔画像を見ることができる。
【０１１４】
図１１は、上述の再生ポイント（再生開始ポイントとも云う）を表示抑制位置として使用する場合における顔画像一覧表示の例を示している。
【０１１５】
ナビゲーション対象の映像コンテンツデータに対する前回の再生処理が先頭から例えば１５分の時点で中断されたならば、ナビゲーション対象の映像コンテンツデータの先頭から１５分の時点が表示抑制位置（抑制制御ポイント）となる。0:00:00から0:15:00までの期間は表示許可期間であり、この表示許可期間内に属する各列には顔画像が通常通り表示される。0:15:00から、終端位置である0:65:00までの期間は表示抑制期間であり、この表示抑制期間内に属する各列に表示さるべき顔画像それぞれは不可視状態に設定される。
【０１１６】
なお、再生開始ポイントと表示抑制位置とを厳密に一致させる必要はなく、例えば、再生開始ポイントに対応する、大区間の境界を表示抑制位置として使用してもよい。例えば、前回の再生処理が先頭から例えば１５分の時点で中断されたならば、ナビゲーション対象の映像コンテンツデータの先頭から１５分の時点以降の大区間の境界それぞれの内で、映像コンテンツデータの先頭から１５分の時点に最も近い大区間の境界を、表示抑制位置として使用し得る。
【０１１７】
また、再生開始ポイントの直後のＣＭ区間の終了位置を、表示抑制位置として使用してもよい。
【０１１８】
図１２は、“最も後方の再生終了済みポイント”を表示抑制位置として使用する場合における顔画像一覧表示の例を示している。
【０１１９】
ナビゲーション対象の映像コンテンツデータの“最も後方の再生終了済みポイント”が先頭から例えば５０分の時点であるならば、ナビゲーション対象の映像コンテンツデータの先頭から５０分の時点が表示抑制位置（抑制制御ポイント）となる。0:00:00から0:50:00までの期間は表示許可期間であり、この表示許可期間内に属する各列には顔画像が通常通り表示される。0:50:00から、終端位置である0:65:00までの期間は表示抑制期間であり、この表示抑制期間内に属する各列に表示さるべき顔画像それぞれは不可視状態に設定される。
【０１２０】
なお、“最も後方の再生終了済みポイント”と表示抑制位置とを厳密に一致させる必要はなく、例えば、“最も後方の再生終了済みポイント”に対応する、大区間の境界を表示抑制位置として使用してもよい。例えば、“最も後方の再生終了済みポイント”以降の大区間の境界それぞれの内で、“最も後方の再生終了済みポイント”に最も近い大区間の境界を、表示抑制位置として使用し得る。
【０１２１】
また、“最も後方の再生終了済みポイント”の直後のＣＭ区間の終了位置を、表示抑制位置として使用してもよい。
【０１２２】
次に、図１３のフローチャートを参照して、顔画像一覧表示処理部３０１によって実行される表示処理の手順を説明する。
【０１２３】
ナビゲーション対象の映像コンテンツデータが選択されると、顔画像一覧表示処理部３０１は、その選択されたナビゲーション対象の映像コンテンツデータに対応する複数の顔画像それぞれのタイムスタンプ情報に基づき、それら複数の顔画像の一覧を顔サムネイル表示エリア上に並べて表示するための顔画像一覧表示処理を実行する（ステップＳ１０１）。
【０１２４】
ステップＳ１０１においては、顔画像一覧表示処理部３０１は、映像コンテンツデータの開始位置から表示抑制位置（抑制制御ポイント）までの時間帯に属する顔画像それぞれを、顔サムネイル表示エリア上に並べて表示する。また、顔画像一覧表示処理部３０１は、映像コンテンツデータの表示抑制位置（抑制制御ポイント）から終端位置までの時間帯に属する顔画像それぞれの表示を抑制して、これら各顔画像を不可視状態に設定する。
【０１２５】
次いで、顔画像一覧表示処理部３０１は、データベース１１Ａに格納されているサムネイル画像それぞれを、それらサムネイル画像それぞれのタイムスタンプ情報に基づいて、じゃばらサムネイル表示エリア上にそれらサムネイル画像が出現する時間順に一列に並べて表示する（ステップＳ１０２）。
【０１２６】
次いで、顔画像一覧表示処理部３０１は、データベース１１１Ａから歓声レベル情報および盛り上がりレベル情報を読み出し、それら歓声レベル情報および盛り上がりレベル情報に従って、レベル表示エリア上に、映像コンテンツデータの開始位置から終端位置までのシーケンス内における歓声レベルの変化を示すグラフと、シーケンス内における盛り上がりレベルの変化をそれぞれ示すグラフとを表示する（ステップＳ１０３）。
【０１２７】
次に、顔画像一覧表示処理部３０１は、データベース１１１ＡからＣＭ区間属性情報、音楽区間属性情報、およびトーク区間属性情報を読み出し、それらＣＭ区間属性情報、音楽区間属性情報、およびトーク区間属性情報に基づいて、区間バーを表示する（ステップＳ１０４）。
【０１２８】
この後、顔画像一覧表示処理部３０１は、ユーザによる現在位置バーの移動操作またはじゃばらサムネイル表示エリア上のサムネイル画像選択操作に応じて、現在位置を変更する処理を実行する（ステップＳ１０５）。ステップＳ１０５においては、現在位置の変更に応じて、選択対象の列を変更する処理も実行される。
【０１２９】
そして、顔画像一覧表示処理部３０１は、現在位置が表示抑制位置（抑制制御ポイント）よりも後方に移動されたか否かを判別する（ステップＳ１０６）。換言すれば、ステップＳ１０６においては、表示抑制位置以降の期間内に属する時間帯が割り当てられている列が選択されたかどうかが顔画像一覧表示処理部３０１によって判別される。現在位置が表示抑制位置（抑制制御ポイント）よりも後方に移動された場合、つまり表示抑制位置以降の期間内に属する時間帯が割り当てられている列が選択された場合には、顔画像一覧表示処理部３０１は、表示抑制期間を縮小して、選択された列上に顔画像が表示されるようにするために、表示抑制位置（抑制制御ポイント）を、選択された列に割り当てられた時間帯の終端位置まで移動する処理を実行する（ステップＳ１０７）。ステップＳ１０７においては、変更前の表示抑制位置から変更後の表示抑制位置までの時間帯に属する各顔画像の表示の抑制を解除する処理が実行される。具体的には、ぼかし等の加工処理を解除する処理、または表示抑制が解除された各列上に、その列に割り当てられた時間帯に属する顔画像を並べて表示する処理などが実行される。
【０１３０】
以上のように、本実施形態においては、映像コンテンツデータから抽出された代表画像（顔画像）の内、映像コンテンツデータのシーケンスの開始位置から所定の表示抑制位置までの期間内に出現する代表画像の一覧のみが表示エリア上に表示され、表示抑制位置以降に出現する代表画像それぞれの表示は抑制される。したがって、映像コンテンツデータの視聴価値を損ねることなく、映像コンテンツデータの概要をユーザに提示することが可能となる。
【０１３１】
なお、表示抑制位置以降に出現する代表画像それぞれの表示を抑制する方法としては、それら各画像にぼかし、隠蔽、縮小等の加工処理を施す方法の他、映像コンテンツデータの開始位置から表示抑制位置までの期間に属する複数の列のみによって顔画像表示エリアを構成し、この顔画像表示エリアをインデキシングビュー画面上に表示するという方法を使用することもできる。
【０１３２】
図１４は、顔画像の表示抑制に関する他の例を示している。
【０１３３】
図１４において、（Ａ）は、表示抑制無しの顔画像の例を示している。（Ｂ）は、顔画像を一部のみの表示を抑制する例を示している。（Ｂ）の表示抑制においては、例えば、顔画像の一部（目など）が隠される。（Ｃ）は、顔画像の全体の表示を抑制する例を示している。（Ｄ）は、顔画像を含む表示領域の表示を抑制する例を示している。
【０１３４】
このように、表示抑制位置以降に出現する代表画像それぞれの表示を抑制する方法としては、様々な方法を使用し得る。
【０１３５】
なお、本実施形態の顔サムネイル表示エリアにおいては、左端位置を基点とし、右端位置を映像コンテンツデータの終端とする時間軸が用いられているが、例えば映像コンテンツデータの一部分について、左端位置を基点、右端位置を終端としてもよく、また、左右逆でもよい。また、上下方向と左右方向の配置を逆にしてもよい。
【０１３６】
また、本実施形態の顔画像一覧表示処理の手順は全てソフトウェアによって実現することができるので、このソフトウェアをコンピュータ読み取り可能な記憶媒体を通じて通常のコンピュータに導入することにより、本実施形態と同様の効果を容易に実現することができる。
【０１３７】
また、本実施形態の電子機器はコンピュータ１０によって実現するのみならず、例えば、ＨＤＤレコーダ、ＤＶＤレコーダ、テレビジョン装置といった様々なコンシューマ電子機器によって実現することもできる。この場合、ＴＶアプリケーションプログラム２０２の機能は、ＤＳＰ、マイクロコンピュータのようなハードウェアによって実現することができる。
【０１３８】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【０１３９】
【図１】本発明の一実施形態に係る電子機器の概観の例を示す斜視図。
【図２】同実施形態の電子機器のシステム構成の例を示すブロック図。
【図３】同実施形態の電子機器の顔画像一覧表示機能を説明するためのブロック図。
【図４】同実施形態の電子機器で用いられる区間属性情報（属性検出結果情報）の例を示す図。
【図５】同実施形態の電子機器で用いられる再生履歴情報の例を示す図。
【図６】同実施形態の電子機器で用いられるプログラムの機能構成を示すブロック図。
【図７】同実施形態の電子機器によって表示装置に表示されるインデキシングビュー画面の例を示す図。
【図８】図７のインデキシングビュー画面内に含まれる顔サムネイル表示エリアの構成例を示す図。
【図９】図７のインデキシングビュー画面内に含まれる、顔サムネイル表示エリアとじゃばらサムネイル表示エリアとの関係を説明するための図。
【図１０】図７のインデキシングビュー画面内に含まれる顔サムネイル表示エリアに表示抑制機能を適用した例を示す図。
【図１１】図７のインデキシングビュー画面内に含まれる顔サムネイル表示エリアの表示抑制のために使用される表示抑制位置の例を示す図。
【図１２】図７のインデキシングビュー画面内に含まれる顔サムネイル表示エリアの表示抑制のために使用される表示抑制位置の他の例を示す図。
【図１３】同実施形態の電子機器によって実行される顔画像一覧表示処理の手順の例を示すフローチャート。
【図１４】同実施形態の電子機器によって実行される表示抑制処理の幾つかの例を示す図。
【符号の説明】
【０１４０】
１０…電子機器（コンピュータ）、１１１Ａ…データベース、１１３…ビデオプロセッサ、１１７…ＴＶチューナ、３０１…顔画像一覧表示処理部、４０２…インデキシング制御部、４０３…再生処理部。
【図１】
0004331240.tif 000002
【図２】
0004331240.tif 000003
【図３】
0004331240.tif 000004
【図４】
0004331240.tif 000005
【図５】
0004331240.tif 000006
【図６】
0004331240.tif 000007
【図７】
0004331240.tif 000008
【図８】
0004331240.tif 000009
【図９】
0004331240.tif 000010
【図１０】
0004331240.tif 000011
【図１１】
0004331240.tif 000012
【図１２】
0004331240.tif 000013
【図１３】
0004331240.tif 000014
【図１４】
0004331240.tif 000015